(57)【要約】      （修正有）【課題】保持器の外輪側に十分な量のグリースを保持できる、製作コストを低減できるアンギュラ玉軸受を提供する。【解決手段】アンギュラ玉軸受１００は、内輪２と、外輪１と、内輪２と外輪１との間に配置された複数の玉３と、複数の玉３を転動自在に収容する複数のポケット４１を有する保持器４と、内輪２又は外輪１の幅方向両端部に取り付けられたシール５，６と、内輪２、外輪１、玉３、保持器４、およびシール５，６で形成される空間に配置されたグリースとを有し、保持器４には、ポケット４１の全外縁を含んで周方向に延びた凹状溝４４が外周側に形成されている。【選択図】図１
2015117804.tif 000002
【特許請求の範囲】
【請求項１】
内輪と、
外輪と、
前記内輪と前記外輪との間に配置された複数の転動体と、
前記複数の転動体を転動自在に収容する複数のポケットを有する環状の保持器と、
前記内輪又は前記外輪の幅方向両端部に取り付けられたシールと、
前記内輪、前記外輪、前記玉、前記保持器、および前記シールで形成される空間に配置されたグリースと、を有し、
前記保持器には、前記ポケットの全外縁を含んで周方向に延びた凹状溝が外周側に形成されていることを特徴とするアンギュラ玉軸受。
【請求項２】
前記外輪内周面は、外輪幅方向中央部に向かうに従い大径となるように傾斜していることを特徴とする請求項１記載のアンギュラ玉軸受。
【請求項３】
前記凹状溝にグリースが保持されることを特徴とする請求項１又は２記載のアンギュラ玉軸受。
【発明の詳細な説明】
【技術分野】
【０００１】
この発明は、幅方向両端に非接触シールが取り付けられ、内部にグリースが封入されて
いるアンギュラ玉軸受に関する。
【背景技術】
【０００２】
近年、工作機械の主軸を回転支持するアンギュラ玉軸受として、グリースが予め封入さ
れ、シールにより密封されているシール付きアンギュラ玉軸受が使用されている。標準的
な軸受寸法を有するアンギュラ玉軸受では、シールによって囲まれる内輪と外輪との間の
軸受空間に、例えば、空間容積の１５〜３０％程度のグリースが封入されている。
【０００３】
このようなシール付きアンギュラ玉軸受では、グリースの封入量を多くすることでグリ
ース寿命が向上できるため、内輪のカウンターボアと保持器との間にグリースが封入されることが多い。しかし、このグリース封入方法は、内輪回転に伴いグリースに遠心力が作用すると、グリースは保持器内輪側に張り付いた状態となり、グリース中の基油が外輪側に十分供給されない虞がある。外輪側への基油の供給量が不十分な場合は、転動体と転送面との間や、保持器と外輪内周面との間の潤滑状態を長期間良好に維持するのが難しくなる。
【０００４】
特許文献１には、グリースを保持器の外輪側に保持するのを可能にする為に、外輪内周面に、潤滑剤供給機構としてのグリース貯留溝を設けることが提案されている。このような構成とすることで、潤滑剤供給機構からの潤滑油が外輪内周面の保持器案内面部の潤滑に寄与することにより、保持器音の発生を抑えることができる。また、グリースがグリース貯留溝から外部に飛散し難く、それ故、良好な潤滑状態を維持することが可能となり、アンギュラ玉軸受の高速化を図ることができる。
【０００５】
さらに、潤滑剤供給機構として、保持器の内径面（内周面）に、半径方向外方に凹みグリースを溜めるグリース溜り溝を設け、このグリース溜り溝から保持器の外径面（外周面）に連通して、前記グリースの基油を通過させる貫通孔を形成することも記載されている。この構成はグリースを保持器の内輪側に保持しているものの、保持器の回転によってグリースに遠心力が作用することで、グリースの基油が分離して保持器の貫通孔から除々に保持器の外径面および外輪の内周面に移動するようになっている。この基油が潤滑に寄与することで、保持器音の発生を抑えることができる。また、基油の一部が外輪軌道面に供給されるため、アンギュラ玉軸受の高速化を図ることができる。
【先行技術文献】
【特許文献】
【０００６】
【特許文献１】特開２００８−２８６２９６号公報
【発明の概要】
【発明が解決しようとする課題】
【０００７】
しかしながら、特許文献１の、外輪内周面にグリース貯留溝を設ける方法では、外輪の軌道面の深さが浅くなってしまうので、アンギュラ玉軸受に荷重が作用したときの転動体と外輪軌道面との間の接触楕円の一部が外輪軌道面からはみ出してしまい、荷重支持が不十分になる恐れがある。また、グリース貯留溝が浅い場合は、グリース貯留溝内でのグリースの保持自体が困難となるという問題がある。
【０００８】
また、保持器の内径面（内周面）に、グリース溜り溝を設ける方法は、保持器内周面と外周面とを連通させる貫通孔が必要で、保持器の形状が複雑となり、製作コストが向上する。又グリースは、保持器の内周面側に保持されたままであるため、遠心力が作用するとグリース中の基油が早期に外部に排出されてしまう恐れもある。
【０００９】
本発明は、これら問題点に鑑みてなされたものであり、その目的は保持器の外輪側に十分な量のグリースを保持でき、製作コストを低減でき軸受寿命を延長可能なアンギュラ玉軸受を提供することである。
【課題を解決するための手段】
【００１０】
本発明の上記目的は、下記の構成により達成される。
（１）内輪と、
外輪と、
前記内輪と前記外輪との間に配置された複数の転動体と、
前記複数の転動体を転動自在に収容する複数のポケットを有する環状の保持器と、
前記内輪又は前記外輪の幅方向両端部に取り付けられたシールと、
前記内輪、前記外輪、前記玉、前記保持器、および前記シールで形成される空間に配置されたグリースと、を有し、
前記保持器には、前記ポケットの全外縁を含んで周方向に延びた凹状溝が外周側に形成されているアンギュラ玉軸受。
（２）前記外輪内周面は、外輪幅方向中央部に向かうに従い大径となるように傾斜している（１）に記載のアンギュラ玉軸受。
（３）前記凹状溝にグリースが保持される（１）又は（２）に記載のアンギュラ玉軸受。
【発明の効果】
【００１１】
本発明のアンギュラ玉軸受によれば、保持器外周側に、ポケットの全外縁を含んで周方向に伸びた凹状溝が形成されていることにより、保持器外周側に十分な量のグリースを保持することが可能となる。また、保持器外周側にに保持されたグリースは、保持器回転で作用する遠心力により外方に飛ばされて外輪内周に張り付いた状態となるが、このグリースから外輪軌道溝及び外輪内周面に潤滑油が供給されることで、アンギュラ玉軸受の寿命の延長が可能となる。
【図面の簡単な説明】
【００１２】
【図１】本発明の一実施形態のアンギュラ玉軸受を示す断面図である。
【発明を実施するための形態】
【００１３】
以下、この発明の実施形態について説明する。図１に示すように、この実施形態のアンギュラ玉軸受１００は、外輪１、内輪２、玉３、保持器４、および非接触シール５、６で構成されている。
【００１４】
外輪１は円環状とされ、内周面には外輪軌道面１０と、保持器４の外周面４３と接触することで保持器４を案内する為の一対の外輪内周面１１、１１（図では一方にのみ符号を付している）、及び外輪軌道面１０と一対の外輪内周面１１、１１との間の一対の傾斜面１２、１２（図では一方にのみ符号を付している）とが形成されている。一対の傾斜面１２、１２は、外輪幅方向（図１の左右方向）中央部に向かうに従い大径となるように傾斜している。
【００１５】
内輪２も円環状とされ、外周面には内輪軌道面２０が形成されている。内輪２の幅方向片側（図１の右側）の溝肩は落とされ、カウンターボア２１とされている。すなわち、内輪２の内輪軌道面２０を挟んだ両側は、カウンターボア２１と肩部２２になっている。なお、外輪１の幅寸法は内輪２の幅寸法より小さく、内輪２の肩部２２の幅方向端部が外輪１の幅方向端部より突出している。
【００１６】
転動体としての玉３は、外輪軌道面１０と内輪軌道面２０との間に、軸受周方向に複数個配置されている。
【００１７】
保持器４は所定厚さの円環状体からなり、例えばポリエーテルエーテルケトン（ＰＥＥＫ）と炭素繊維からなる樹脂組成物（炭素繊維の含有率が３０質量％）を溶融成形することで得られたものである。保持器４には、径方向に貫通した穴として形成されている、玉３を収容する為の複数個のポケット４１が、周方向にほぼ等間隔で設けられている。このポケット４１に収容されることで、玉３は周方向にほぼ等しい間隔をもって配置される。
【００１８】
また保持器４外周側には、ポケット外縁４２の全周を含んだ状態で凹状溝４４が形成され、この凹状溝４４にグリース７が保持可能となっている。ポケット４１の軸受幅方向両端と凹状溝４４の幅方向両端との間に平坦面４５が確保されており、ポケット４１間だけでなくこの平坦面４５でもグリース７を保持することが可能となっている。図１には、グリース７が凹状溝４４に封入されて保持された状態が示されている。
【００１９】
なお、グリース７が凹状溝４４に保持される場合としては、軸受組立ての当初よりこの凹状溝４４にグリース７が封入されて保持される場合と、当初は凹状溝４４以外に封入されたグリースが、軸受の作動中にこのに凹状溝４４にもたらされて保持される場合がある。
【００２０】
非接触シール５、６は金属板のプレス加工により形成され、外輪１の幅方向両端部に形成された取付溝１５、１６に取付けられている。これにより、内輪２、外輪１、玉３、保持器４、およびシール５、６で形成される空間内に配置されたグリース７が、外に漏出するのを防止するようになっている。
【００２１】
次に作動について説明する。
【００２２】
本実施形態のアンギュラ玉軸受１００は、内輪２が回転軸（不図示）に取り付けられ外輪１がハウジング（不図示）に固定される、いわゆる内輪回転で使用される。内輪回転に伴って、この内輪２と転がり接触している玉３、及びこの玉３をポケット４１収容している保持器４も追随して回転する。保持器４の回転数が大きくなると、凹状溝４４内に保持されたグリース７は、遠心力により外方に飛ばされ外輪内周面１１及び／又は傾斜面１２に張り付けられた状態となる。
【００２３】
一方外輪１はハウジングに固定されている為に、この外輪１に張り付いたグリース７には更なる遠心力は作用しない。よって、このグリース７から滲み出ることによって供給される潤滑油（基油）によって、外輪軌道面１０及び外輪内周面１１は良好な潤滑状態に長期間保たれる。特に、本実施形態のように外輪軌道面１０に隣接して一対の傾斜面１２、１２を形成している場合は、外輪軌道面１０への潤滑油の供給がより効率的に行われる。これにより、アンギュラ玉軸受１００の長期にわたる高速回転を可能にすることが出来る。
【００２４】
なお、一対の傾斜面１２、１２は、潤滑状態をより効率的にもたらすようにする為のものであり、荷重支持側（図１中右方）は傾斜面とせず、接触楕円を確保する為に外輪内周面をそのまま幅方向中央側に外輪軌道面まで延長させた平坦面にする、又は双方の傾斜面に代え双方とも平坦面とする事によっても、外輪軌道面を潤滑状態にもたらすことができる。
【００２５】
このように、この実施形態のアンギュラ玉軸受１００によれば、凹状溝４４に十分なグリース７を保持可能とすることで、長期間にわたるアンギュラ玉軸受１００の高速回転を可能にすることが出来る。
【００２６】
尚、本発明は、前述した実施形態に限定されるものではなく、適宜、変形、改良、等が可能である。例えば、転動体は玉でなくころであってもよい。また、グリースは玉の保持器幅方向外側だけでなく、隣接するポケット間の保持器幅方向中央部や両端部に封入されてもよい。さらには、内輪のカウンターボアと保持器との間に封入されてもよい。
【符号の説明】
【００２７】
１      外輪
１０    外輪軌道面
１１    外輪内周面
１２    傾斜面
２      内輪
２０    内輪軌道面
２１    カウンターボア
２２    肩部
３      玉
４      保持器
４１    ポケット
４２    ポケット外縁
４３    保持器外周面
４４    凹状溝
５      非接触シール
６      非接触シール
１００  アンギュラ玉軸受
【図１】
2015117804.tif 000003